(57)【要約】【課題】ヤエンをイカの下方に位置させた後に、イカに掛針を確実に掛けることができるイカ釣り用ヤエンを提供すること。【解決手段】線材からなる支持杆１０と、支持杆１０の先端１０ｂ側に配設した掛針３と、支持杆１０の基端１０ａ側及びそれより掛針３側の位置に立設した支柱２０Ａ、２０Ｂのそれぞれの先端に配設した線材を螺旋形状に形成してなる道糸挿通部２Ａ、２Ｂとを備え、支持杆１０を、掛針３側の位置に立設した支柱２０Ａと掛針３との間で、下向きにく字状に屈曲させることにより、掛針３側の道糸挿通部２Ａと掛針３との間に空間が形成されるようにする。【選択図】図１
0003193824.tif 000002
【実用新案登録請求の範囲】
【請求項１】
線材からなる支持杆と、該支持杆の先端側に配設した掛針と、支持杆の基端側及びそれより掛針側の位置に立設した支柱のそれぞれの先端に配設した線材を螺旋形状に形成してなる道糸挿通部とを備えたイカ釣り用ヤエンにおいて、支持杆を掛針側の位置に立設した支柱と掛針との間で下向きにく字状に屈曲させることにより、掛針側の道糸挿通部と掛針との間に空間が形成されるようにしてなることを特徴とするイカ釣り用ヤエン。
【請求項２】
支持杆の直線形状の基端部の延長線上に掛針が位置するようにしてなることを特徴とする請求項１記載のイカ釣り用ヤエン。
【請求項３】
掛針側の道糸挿通部の反掛針側に、道糸を案内する合成樹脂製の回転体を配設したことを特徴とする請求項１又は２記載のイカ釣り用ヤエン。
【請求項４】
掛針側の道糸挿通部が、該道糸挿通部の道糸挿通空間の頂部が鋭角をなし、かつ、隣接する線材間に道糸の先端に配設した嵌合体が嵌り込む隙間を設けて両方から合計して２回以上周回して形成されてなることを特徴とする請求項１、２又は３記載のイカ釣り用ヤエン。
【考案の詳細な説明】
【技術分野】
【０００１】
本考案は、イカ釣りに用いられるヤエンに関し、特に、ヤエンをイカの下方に位置させた後に、イカに掛針を確実に掛けることができるようにしたイカ釣り用ヤエンに関するものである。
【背景技術】
【０００２】
従来、イカ釣り用ヤエンとして、図５に示すように、線材からなる支持杆５１と、支持杆５１の先端５１ｂ側に配設した掛針３と、支持杆５１の基端５１ａ側及びそれより掛針３側の位置に立設した支柱５２Ａ、５２Ｂのそれぞれの先端に配設した線材を螺旋形状に形成してなる道糸挿通部５３Ａ、５３Ｂとを備えるようにしたものが提案され、実用化されている（例えば、特許文献１−２参照。）。
【０００３】
このイカ釣り用ヤエン５０を用いてイカを釣る場合、まず、道糸４の先端に餌魚を取り付け、これを海中に投入し、イカが餌魚を捕食しようと餌魚に抱きついている状態で、イカ釣り用ヤエン５０の前後の道糸挿通部５３Ａ、５３Ｂに道糸４を挿通して、これを海中に投入する。
海中に投入されたヤエン５０は、支持杆５１の基端５１ａ側に配設した錘７の作用によって、道糸４に沿って海中を移動し、道糸４の先端に取り付けた餌魚の下方、すなわち、餌魚に抱きついているイカの下方に到達する。
この状態で、道糸４を一旦弛ませることによって、ヤエン５０を基端側の道糸挿通部５３Ａを中心にして図５（ａ）で右回転の向きに揺動させ、これによって、餌魚に抱きついているイカに支持杆５１の先端に配設した掛針３を掛け、釣り上げることができるようにしている。
【０００４】
ところで、このイカ釣り用ヤエン５０は、イカに支持杆５１の先端に配設した掛針３を掛けるために道糸４を一旦弛ませたときに、ヤエン５０が道糸４の先端から逆方向に移動し、道糸４の先端に取り付けた餌魚の下方、すなわち、餌魚に抱きついているイカの下方位置から外れてしまい、餌魚に抱きついているイカに支持杆５１の先端に配設した掛針３を掛けることができず、イカを逃がしてしまうことが多いという問題があった。
【０００５】
このような従来のイカ釣り用ヤエンの有する問題点に鑑み、本件出願人は、先に、ヤエンをイカの下方に位置させた後に、イカに掛針を確実に掛けることができるイカ釣り用ヤエンを提案した（特許文献３参照。）。
【０００６】
このイカ釣り用ヤエンは、図６に示すように、線材からなる支持杆１０と、支持杆１０の先端１０ｂ側に配設した掛針３と、支持杆１０の基端１０ａ側及びそれより掛針３側の位置に立設した支柱２０Ａ、２０Ｂのそれぞれの先端に配設した線材を螺旋形状に形成してなる道糸挿通部２Ａ、２Ｂとを備え、掛針３側の道糸挿通部２Ａが、道糸挿通部２Ａの道糸挿通空間２１の頂部２１ａが鋭角をなし、かつ、隣接する線材間に道糸４の先端に配設した嵌合体５が嵌り込む隙間２２を設けて２回以上周回して形成することにより、ヤエンをイカの下方に位置させた後に、道糸４を一旦弛ませたときに、道糸挿通部２Ａの隙間２２に道糸４の先端に配設した嵌合体５としてのサルカン５Ａが嵌り込んで、ヤエン５０Ａが道糸４の先端から逆方向に移動することを防止できるようにしたもので、これにより、ヤエン５０Ａをイカの下方に位置させた状態で揺動させ、これによって、餌魚に抱きついているイカに支持杆１０の先端に配設した掛針３を確実に掛けることができ、イカを逃がさずに釣り上げることができるようにしている。
【先行技術文献】
【特許文献】
【０００７】
【特許文献１】特開２００２−５１６７６号公報
【特許文献２】特開２００３−７０３９９号公報
【特許文献３】実用新案登録第３１６１０１２号公報
【考案の概要】
【考案が解決しようとする課題】
【０００８】
このように、特許文献３に記載のイカ釣り用ヤエンによれば、従来のイカ釣り用ヤエンの有する問題点を解消し、イカに掛針を掛ける確率を高めることができるものであったが、このイカ釣り用ヤエン５０Ａは、支持杆１０の全体が直線形状をしているため（図５に示す従来のイカ釣り用ヤエン５０の支持杆５１も同様。）、支持杆１０の上方に空間がほとんど形成されず（支持杆１０、掛針３側の道糸挿通部２Ａ及び掛針３とを結んで形成される空間が正面視して三角形状でほとんどなく）、このため、餌魚に抱きついているイカが、支持杆１０の掛針３が形成されていない箇所に当たって、掛針３に掛かることなく逃げてしますことがあった。
【０００９】
本考案は、上記従来のイカ釣り用ヤエンの有する問題点に鑑み、ヤエンをイカの下方に位置させた後に、イカに掛針を確実に掛けることができるイカ釣り用ヤエンを提供することを目的とする。
【課題を解決するための手段】
【００１０】
上記目的を達成するため、本考案のイカ釣り用ヤエンは、線材からなる支持杆と、該支持杆の先端側に配設した掛針と、支持杆の基端側及びそれより掛針側の位置に立設した支柱のそれぞれの先端に配設した線材を螺旋形状に形成してなる道糸挿通部とを備えたイカ釣り用ヤエンにおいて、支持杆を掛針側の位置に立設した支柱と掛針との間で下向きにく字状に屈曲させることにより、掛針側の道糸挿通部と掛針との間に空間が形成されるようにしてなることを特徴とする。
【００１１】
この場合において、支持杆の直線形状の基端部の延長線上に掛針が位置するようにしてなることができる。
【００１２】
また、掛針側の道糸挿通部の反掛針側に、道糸を案内する合成樹脂製の回転体を配設することができる。
【００１３】
また、掛針側の道糸挿通部が、該道糸挿通部の道糸挿通空間の頂部が鋭角をなし、かつ、隣接する線材間に道糸の先端に配設した嵌合体が嵌り込む隙間を設けて両方から合計して２回以上周回して形成されてなることができる。
【考案の効果】
【００１４】
本考案のイカ釣り用ヤエンによれば、支持杆を掛針側の位置に立設した支柱と掛針との間で下向きにく字状に屈曲させることにより、掛針側の道糸挿通部と掛針との間に空間が形成されるようにしてなることにより、餌魚に抱きついているイカが、支持杆１０の掛針３が形成されていない箇所に当たることなく、支持杆の先端に配設した掛針３に確実に掛かるようになり、イカを逃がさずに釣り上げることができる。
【００１５】
また、支持杆の直線形状の基端部の延長線上に掛針が位置するようにしてなることにより、海中にヤエンを投入した後、ヤエンを、道糸に沿って海中を安定して移動させ、円滑に餌魚の位置まで到達させることができる。
【００１６】
また、掛針側の道糸挿通部の反掛針側に、道糸を案内する合成樹脂製の回転体を配設することにより、海中にヤエンを投入した後、ヤエンを、道糸に沿って海中を安定して移動させ、円滑に餌魚の位置まで到達させることができる。
【００１７】
また、掛針側の道糸挿通部が、該道糸挿通部の道糸挿通空間の頂部が鋭角をなし、かつ、隣接する線材間に道糸の先端に配設した嵌合体が嵌り込む隙間を設けて両方から合計して２回以上周回して形成されてなることにより、ヤエンの道糸に対する着脱を簡易に行うことができるとともに、ヤエンをイカの下方に位置させた後に、道糸を一旦弛ませたときに、道糸挿通部の隙間に道糸の先端に配設した嵌合体が嵌り込んで、ヤエンが道糸の先端から逆方向に移動することを防止できる。
【図面の簡単な説明】
【００１８】
【図１】本考案のイカ釣り用ヤエンの一実施例を示す正面図である。
【図２】同イカ釣り用ヤエンの掛針側の道糸挿通部を示す拡大図で、（ａ）は正面図、（ｂ）は背面図である。
【図３】同イカ釣り用ヤエンの掛針側の道糸挿通部の変形例を示す拡大図で、（ａ）は斜視図、（ｂ）は正面図である。
【図４】掛針側の道糸挿通部間に嵌合体が嵌り込む状態を説明する概略図で、（ａ）は嵌合前を、（ｂ）は嵌合後を示す。説明図である。
【図５】従来のイカ釣り用ヤエンを示し、（ａ）は正面図、（ｂ）は平面図である。
【図６】従来のイカ釣り用ヤエンを示し、（ａ）は正面図、（ｂ）は平面図である。
【考案を実施するための形態】
【００１９】
以下、本考案のイカ釣り用ヤエンの実施の形態を、図面に基づいて説明する。
【００２０】
図１〜図２に、本考案のイカ釣り用ヤエンの一実施例を示す。
このイカ釣り用ヤエン１は、線材からなる支持杆１０と、支持杆１０の先端１０ｂ側に配設した掛針３と、支持杆１０の基端１０ａ側及びそれより掛針３側の位置に立設した支柱２０Ａ、２０Ｂのそれぞれの先端に配設した線材を螺旋形状に形成してなる道糸挿通部２Ａ、２Ｂとを備え、支持杆１０を、その中間部、具体的には、掛針３側の位置に立設した支柱２０Ａと掛針３との間で、下向きにく字状に屈曲させることにより、掛針３側の道糸挿通部２Ａと掛針３との間に空間が形成される（支持杆１０、掛針３側の道糸挿通部２Ａ及び掛針３とを結んで形成される空間が正面視して四角形状の大きな面積となるように形成する）ようにしている。
【００２１】
支持杆１０は、線材、例えば、直径が１ｍｍ程度のステンレス鋼線や鉄線からなる。
【００２２】
この支持杆１０は、掛針側の位置に立設した支柱と掛針との間で下向きにく字状に屈曲させる（ここで、屈曲角度αは、１２０°〜１６０°程度（本実施例においては、約１６０°）に設定することが好ましい。）ことにより、掛針側の道糸挿通部と掛針との間に空間が形成されるようにする。
【００２３】
基端１０ａ側の支柱２０Ｂ及び道糸挿通部２Ｂは、１本の線材を曲げ加工することによって一体に成形し、半田付け（ろう付け）等の固定手段により、支持杆１０に固定する。
【００２４】
また、基端１０ａ側の支柱２０Ｂより所定間隔を開けて立設する支柱２０Ａは、従来のイカ釣り用ヤエンと同様、図３〜図４に示すように、その先端に、道糸挿通空間２１の頂部２１ａが鋭角（ここで、頂部２１ａの角度θは、１０°〜４０°程度（本実施例においては、約２５°）に設定することが好ましい。）をなし、かつ、２回以上周回し、隙間２２を開けて２つ道糸挿通空間２１が形成される道糸挿通部２Ａを形成し、半田付け（ろう付け）等の固定手段により、支持杆１０に固定する。
この支柱２０Ａの高さは、基端１０ａ側の支柱２０Ｂよりも低い高さとし、海中に投入されたヤエン１が、道糸４に沿って海中を移動し、道糸４の先端に取り付けた餌魚の下方、すなわち、餌魚に抱きついているイカの下方に円滑に到達するようにしている。
なお、道糸挿通空間２１を形成する道糸挿通部２Ａは、支柱２０Ａ以外に、図６に示す従来のイカ釣り用ヤエン５０Ａのように、補助支柱２３によって支持され、支柱２０Ａと支持杆１０との取り付け角度を直角に保持するようにすることもできる。
【００２５】
また、隙間２２に嵌り込む嵌合体５を、サルカン５Ａとすることにより、道糸４と餌魚を取り付ける仕掛けの間に必ず使用するサルカン５Ａを嵌合体５として使用することができ、釣り人に、別途、道糸４に嵌合体５を取り付ける手間をかけさせることがない。
【００２６】
隣接する線材が形成する隙間２２の距離Ｌは、図４に示すように、嵌合体５として用いるサルカン５Ａの寸法Ｌ’と略同一の寸法（若干大とする）とし、ヤエン１を海中に投入し、掛針３側に少なくとも２つ形成される、道糸挿通空間２１のうち、掛針３側の道糸挿通空間２１を、サルカン５Ａが越えたときに、サルカン５Ａが隙間２２に嵌り込むようにしている。
【００２７】
この道糸挿通部２Ａは、２回以上周回した構造のものであれば、その目的を達成することができるが、特に、図２に示すように、両方から、具体的には、一方側から１．５回以上、他方側から０．５回以上、合計して２回以上周回して形成するようにすることができる。
これにより、ヤエン１の道糸４に対する着脱を簡易に行うことができる。
【００２８】
また、掛針３側の道糸挿通部２Ａの反掛針側に、道糸４を案内する回転体６を配設するようにしている。
この回転体６は、海中に投入されたヤエン１が、道糸４に沿って海中を移動し、道糸４の先端に取り付けた餌魚の下方、すなわち、餌魚に抱きついているイカの下方に円滑に到達するようにするものであれば、特にその構成は限定されるものではなく、各種の回転体をしようすることができる。
そして、本実施例においては、道糸４が嵌って案内される溝部６１を有する合成樹脂製又はベアリングを備えたプーリ６０と、プーリ６０の中心に貫通されるプーリ６０を回動自在に支持する軸部６２とからなり、この軸部６２は、２回以上周回して道糸挿通部２Ａを形成した線材を、支持杆１０に対して直交方向に屈曲させることによって利用するようにしている。
また、プーリ６０の中心を貫通した線材は、さらに反掛針側で螺旋形状を形成し、回転体６に道糸４を案内する道糸挿通部２Ｃを形成することもできる。
これによって、回転体６によって案内される道糸４が回転体６から外れることを有効に防止することができる。
なお、回転体６を省略することもできる。
【００２９】
また、掛針３は、複数の針が放射状に任意の方向に突出する形状に形成することが好ましいが、その形状並びに支持杆１０に対する配設位置及び個数は、掛針を配設した副支持杆（図示省略。）を付設することを含め、任意に設定することができる。
【００３０】
また、支持杆１０の基端１０ａや掛針３側の位置に立設した支柱２０Ａの基部に、発光部材９を取り付ける取付部８を形成することができる。
発光部材９は、海中に投入したヤエン１の位置を確認することができるものであれば、特に限定するものではないが、例えば、ケミホタル（商品名（登録商標））や発光ダイオードを使用することができる。
【００３１】
次に、このイカ釣り用ヤエン１を使ったイカの釣り方について説明する。
【００３２】
まず、道糸４の先端に、餌魚（例えば、アジ等。）を取り付け、海中に投入してイカのアタリを待つ。
【００３３】
イカが、餌魚を捕食しようと餌魚に抱きつき、道糸４を介して、イカのアタリが釣り人に伝わったときに、道糸４に、道糸挿通部２Ａ、２Ｂ、２Ｃ及び回転体６を介してヤエン１を取り付けて、海中に投入する。
【００３４】
ヤエン１は、道糸４が嵌り込んだ状態の回転体６が回転することによって、円滑に餌魚の位置まで滑り落ちていき、図４（ｂ）に示すように、道糸挿通部２Ａの道糸挿通空間２１、２１間の隙間２２に嵌合体としてのサルカン５Ａが嵌り込む。
このとき、ヤエン１の掛針３は、イカの下方に位置することとなる。
【００３５】
そして、道糸挿通部２Ａの道糸挿通空間２１、２１間の隙間２２に嵌合体としてのサルカン５Ａが嵌り込んでいるので、ヤエン１が道糸４の先端から逆方向に移動することを防止でき、この状態で、道糸４を一旦弛ませることにより、ヤエン１を基端側の道糸挿通部２Ａを中心にして右回転の向きに揺動させ、これによって、餌魚に抱きついているイカに掛針３を掛けるようにする。
【００３６】
このとき、支持杆１０を掛針３側の位置に立設した支柱２０Ａと掛針３との間で下向きにく字状に屈曲させるようにして、掛針３側の道糸挿通部２Ａと掛針３との間に空間が形成されるようにしているため、餌魚に抱きついているイカが、支持杆１０の掛針３が形成されていない箇所に当たることなく、掛針３をイカの下方に位置させた状態でヤエン１を揺動させることができ、これによって、支持杆１０の先端に配設した掛針３に確実に掛かるようになり、イカを逃がさずに釣り上げることができる。
【００３７】
以上、本考案のイカ釣り用ヤエンについて、その実施例に基づいて説明したが、本考案は上記実施例に記載した構成に限定されるものではなく、その趣旨を逸脱しない範囲において適宜その構成を変更することができるものである。
【産業上の利用可能性】
【００３８】
本考案のイカ釣り用ヤエンは、ヤエンをイカの下方に位置させた後に、イカに掛針を確実に掛けることができることから、アオリイカ等のイカ釣りに用いられるヤエンの用途に好適に用いることができる。
【符号の説明】
【００３９】
１    イカ釣り用ヤエン
２Ａ  道糸挿通部
２Ｂ  道糸挿通部
２Ｃ  道糸挿通部
２０Ａ  支柱
２０Ｂ  支柱
２１  道糸挿通空間
２１ａ  頂部
２２  隙間
３    掛針
４    道糸
５    嵌合体
５Ａ  サルカン
６    回転体
８    取付部
９    発光部材
１０  支持杆
１０ａ  基端
１０ｂ  先端
【図１】
0003193824.tif 000003
【図２】
0003193824.tif 000004
【図３】
0003193824.tif 000005
【図４】
0003193824.tif 000006
【図５】
0003193824.tif 000007
【図６】
0003193824.tif 000008